(57)【要約】【課題】水泳マスク或いは水泳用フィンなどの留めバンドにおいて、装着時のバンド長さ調節を不要とし、快適な締結度合いを達成する。【解決手段】伸縮性の材質からなる留めバンド１０端部に差込留め具２０を設け、掛合板２１により水泳マスクなどの装備品の用具に掛合して締結固定する。  留めバンドの長さ調節は、適宜の数の追加留め具４０によっておこない、追加留め具の一端は、用具と同じ係合構造の掛合孔４３を設け、他端には差込留め具と同じ掛合構造の掛合板４２を設ける。使用に際しては、使用者の用具固定部位のサイズに応じて適数の追加留め具を設けることにより、留めバンドの長さを調節する。【選択図】図５
0003134742.tif 000002
【実用新案登録請求の範囲】
【請求項１】
水泳マスク、潜水マスク、運動用マスク、工業用マスク、アイマスクおよび水泳用フィン等の用具に適用する留めバンドにおいて、
少なくとも一端に該用具の結合留め具と結合/分離可能な差込留め具を具えたバンド体、及び一端に該差込留め具と結合/分離可能な結合留め具を設けると共に他端に用具の結合留め具と結合/分離可能な差込留め具を設けた追加留め具を
具えたことを特徴とする、用具の留めバンド。
【請求項２】
前記バンド体は、プラスチック、ゴム、シリコン樹脂、ＴＰＲ、ＴＰＥ、合成材、重合材、布革、金属等の材料からなることを特徴とする請求項１記載の用具の留めバンド。
【請求項３】
前記バンド体と差込留め具は、一体成型とすることを特徴とする請求項１記載の用具の留めバンド。
【請求項４】
前記バンド体と差込留め具との結合は、一体射出成形による結合、鉤掛合結合、ネジ結合、接着結合、凹凸嵌合による結合、鋳ぐるみ射出成形による結合であることを特徴とする請求項１記載の用具の留めバンド。
【請求項５】
前記留めバンドの材質は、プラスチック、ゴム、シリコン樹脂、ＴＰＲ、ＴＰＥ、合成材、重合材、布革、金属等の材料の２以上を用いた複合材としたことを特徴とする請求項１記載の用具の留めバンド。
【考案の詳細な説明】
【技術分野】
【０００１】
本考案は、用具の留めバンド構造に関するもので、主にバンドの長さ調節構造に関し、固定部位の大きさに適応するものである。
【背景技術】
【０００２】
公知の留めバンド、特に水泳のマスク、潜水マスク、運動用マスク、工業用マスク、アイマスク、水泳用フィン等を着用する留めバンドの構造は図１、２に示すとおりで、少なくとも一個の調節構造を具える。留めバンドＡ上の凸歯Ｂ構造によって長さを調整し、固定部位上でバンド体をちょうどよい締まり具合に調整する。
【０００３】
上述の固定部位は通常、人の頭部もしくは足部を指し、使用者の頭部もしくは足部の大きさによって締めたり緩めたりする操作を使用の都度行う。用具の締め付け具合と快適度は装備（マスクもしくはフィン等）を有効に使用するための重要な条件であるため、締め具合と快適度の機能をないがしろにすることはできない。
【０００４】
一般の留めバンドの構造は大抵バンド体を具え、そのバンド体の両側に少なくとも調整掛合部品を具える。このバンド体は通常弾性、強靭性を具えた弾性材質から作られる。バンド体の内の一側面には適度な長さの凸歯が複数設置され、凸歯を具えたバンド体を調整定位できる掛合部品に差込み、その掛合部品はマスク本体もしくはフィン本体の少なくとも一側面上に結合する。この種の構造の留めバンドは、少なくとも一側面の掛合部品傍に長いか、短いかの末端を残し、更に留めバンドの調整が簡単で、且つ留めバンド本体の触感もよい。
【０００５】
異なるサイズの固定部位に対応するため、関連の長さを調整する掛合部品を作らなければならない。伸縮性を具えた留めバンドはバンド体を作る時、異なるサイズの固定部位に対応することができる。
【０００６】
熱塑性ゴム(Thermoplastic rubber  略称 TPR)等の材料は延長弾性を具えた材質で、この種の（この材質だけに制限しない）材料で留めバンドを製造し、その伸びによって締め付け、長さ調整の必要のない水泳マスクもしくはフィンの留めバンドを作る。
【特許文献１】特開２０００−２７１２４７号公報
【特許文献２】特許第３２８８９６７号公報
【考案の開示】
【考案が解決しようとする課題】
【０００７】
解決しようとする問題点は、異なるサイズの固定部位に適用するため、留めバンド長さ、締結度合いを簡単に調節可能であり、装備品の好適な締まり具合、使用快適度を満たす留めバンドを提供することにある。
【課題を解決するための手段】
【０００８】
本考案は、水泳マスクもしくはフィンの留めバンドにおいて、伸縮可能なバンド体を具え、バンド体両端に差込留め具を設けてその少なくとも差込留め具はマスクもしくはフィン上の掛合具と結合/分離可能とする。更に、必要に応じて追加留め具を設け、その追加留め具の一端は差込留め具で用具であるフィンの掛合具と結合/分離可能であり、他端では留めバンドの掛合具で結合/分離することにより、留めバンドの長さを延長し、異なる大きさの固定部位に適応することを最も主要な特徴とする。
【考案の効果】
【０００９】
本考案の留めバンド構造は、長さが延長するため、異なる大きさの固定部位に対応するという利点がある。
【考案を実施するための最良の形態】
【００１０】
水泳フィンなどの用具の留めバンドにおいて、バンド体の両端に差込留め具を設置する。この差込留め具は固定部位で結合/分離する掛合具である。バンド体は弾性且つ良好な触感を具えた材質からなり、予め設置した長さの構造体である。また、少なくとも一つの追加留め具を設けて、その一端は用具の掛合具と結合し、他端はバンド体の１端の差込留め具と結合してバンド体に追加留め具を結合し、留めバンドは長さが延長できるため、異なる大きさの固定部位に対応することを本考案の主な目的とする。
【００１１】
水泳フィンなどの用具の留めバンドにおいて、その留めバンドは予め長さを定め、締める範囲を調整する必要がない機能を具える。その伸びて延長する範囲を利用し、その他の動作を必要とせずに束縛体に掛ければよく、即座に設置できることを本考案の次の目的とする。
【００１２】
水泳フィンなどの用具の留めバンドにおいて、伸縮延長性を具える留めバンド全体とフィン本体を結合し、留めバンドが伸縮延長すると共に長さを調節する追加留め具により、異なる固定部位の大きさに対応し、フィンと固定部位が過度の延長性によって外れたりすることなく、しっかりと留め、快適で適度に固定部位を締めることを更に別の目的とする。
【００１３】
上述の留めバンドは適度な伸縮性を具えたバンド体とし、その材質は、ＴＰＲ、ＴＰＥ(Thermoplastic elastomer rubber 熱塑性弾性樹脂)、シリコン樹脂もしくはゴムおよび合成材、重合材、布革、金属および以上の材料の複合材等とする。
【実施例１】
【００１４】
図３は、本考案の留めバンドの１実施例である。本考案はバンド体１０、差込留め具２０からなる。フィン３０の靴具上には結合留め具３１を設ける。
【００１５】
バンド体１０は、伸縮可能な弾性を具えた構造体で、適度な長さを具えるが、その形状は公知の扁平細長形状に限らない。その形態は円形等の形状でもよく、その上にその他操作するための構造体を設置し、材質はＴＰＲ（熱塑性ゴム）等種類の材質で製造する。しかし、その材質に制限するものではなく、それとマスクもしくはフィン等の用具間で結合する時、頭部もしくは足部をバンドで締結する束縛構造体であればよい。固定部位をバンドで締結する際、その伸縮可能な弾性により着装、取外し動作を行い、適度な締め付け力を具えて異なるサイズの固定部位を好適な締結度合いで固定する。
【００１６】
差込留め具２０は、バンド体１０の少なくとも一側面に設置する構造体で、用具の結合留め具３１に結合し、留めバンドで固定部位に巻きつける。差込留め具２０の構造形態は上述の各図に制限されず、差込留め具２０が有効に結合/分離すればよく、その構成は公知構造部品でよい。
【００１７】
図４に示すのは、本考案の留めバンドを水泳用フィン３０上に設置した一実施例である。図のバンド体１０の両側には各々差込留め具２０が設けられ、図の差込留め具２０の掛合板２１をフィン３０両側面の結合留め具３１に設けた掛合孔３２内に差し込んで留める。
【００１８】
使用者は、足部をフィン３０内に入れ、留めバンド両側の掛合板２１を掛合孔３２内に差し込んで留めれば足部は束縛された状態になる。
【００１９】
バンド体１０の一端は用具上に固定し、バンド体１０の他端には差込留め具２０を設け、用具の別一側面上の結合留め具３１と結合するもので、これは本考案の一実施例とする。
【００２０】
図５に示すとおり、留めバンドの一側面の差込留め具２０の前方にはそれと結合する追加留め具４０を設置し、その追加留め具４０の一側面には掛合体４１を設置し、別一側面には差込留め具２０の掛合板２１と同じ掛合板４２を具える。掛合板４１上には少なくとも一掛合孔４３を設置し、その掛合孔４３は結合留め具３１の掛合孔３２に相当し、それを掛合板２１に差し込んで掛合状態を形成する。掛合板４２は留めバンドの差込留め具２０の掛合板２１に相当し、それを用具の掛合孔３２内に差し込んで掛合状態を形成する。追加留め具４０を結合することによって留めバンドの長さが長くなり、サイズの大きい固定部位を適切に締結する。
【００２１】
図６に示すとおり、留めバンドのバンド体１０両側の差込留め具２０にはそれぞれ追加留め具４０を結合し、留めバンドの長さを延長してサイズの大きな固定部位に対応して巻回する長さを調節する。同様にして、必要に応じて留めバンドの差込留め具２０と用具の結合留め具３１の間に、更に多数個の追加留め具４０を設けて留めバンドの長さを延長する。
【００２２】
図７，８に示すのは、バンド体１０と差込留め具２０結合の実施例である。そのうち、バンド体１０は熱塑性ゴム（ＴＰＲ）もしくはシリコン樹脂、ゴム、若しくは同様の素材とし、差込留め具２０とは一体成型することにより両者の結合を安定確実にすることができる。差込留め具２０の掛合板２１は、用具上の掛合孔（図未表示）に差し込む。
〔実施例２、３〕
【００２３】
図９、１０は、バンド体５０の差込留め具６０と用具７０の結合留め具８０の異なる構造の実施例であり、バンド体５０上に設けた差込留め具６０に掛合孔６１を具えた構造で、結合留め具８０上の差込板８１と結合、もしくは分離する。図１０では一追加留め具９０を増やす。この追加留め具９０は差込留め具６０、結合留め具８０とそれぞれ相互に結合し、留めバンドの長さを延長する。
【００２４】
図１１から図１４に示すのは、バンド体と結合留め具と追加留め具に関する別の実施例である。そのうち、差込留め具１０１は、バンド体１０２の１端に設置し、掛合体１０３は用具１０４上に設けて、差込留め具１０１は掛合体１０３で結合/分離する。追加留め具１１０の一側面には差込留め具１０１を差し込んで掛合する部品を具え、追加留め具１１０の別一側面には掛合体１０３に結合/分離する部品を具え、留めバンドの長さを延長する部品を形成する。
【００２５】
本考案の留めバンドは、実際の運用に於いて、その一端は用具上に固定し、他端に差込留め具を設け、その差込留め具は用具上の結合留め具に対して結合/分離し、差込留め具と結合留め具の間において必要に応じて複数個の追加留め具を設置する。
【００２６】
本考案の特徴であるバンド体と差込留め具の結合方式は、一体射出成形による結合、鉤掛合結合、ネジ結合、接着結合、凹凸嵌合による結合、鋳ぐるみ射出成形による結合等とする。
【００２７】
バンド体の材料としてプラスチック、ゴム、シリコン樹脂、ＴＰＲ、ＴＰＥ、合成材、重合材、布革、金属等から適宜選択した材料を用いてもよく、これらの素材からなる部材同士を相互に結合して採用することもできる。
【００２８】
本考案の特徴は、用具（マスクもしくはフィン等）の取り囲み部品の内の留めバンドに於いて、延長弾性、良好な触感を具えた材質を使用し、公知の留めバンドの長さ調整部品を設置する必要がなく、留めバンドは長さを調整した後の末端を残す必要もない。本考案では大きさの異なる固定部位に適用するため、追加留め具を設置することにより、元の長さの留めバンドに少なくとも一個の追加留め具を設置する方式で留めバンドの長さを延長し、締め具合、快適度を具えて固定部位に締結着用する留めバンドである。
【００２９】
上述の特徴からもわかるとおり、差込留め具もしくは追加留め具の形態は図中の部品に制限されるものではなく、前述の目的を達成する特徴を具えた部品であれば、すべて適用できる。
【００３０】
本考案に示したものは一実施例であり、局部の変更もしくは修飾も含み、本考案の技術思想に基づいたものはすべて本考案の範囲とする。
【図面の簡単な説明】
【００３１】
【図１】公知の留めバンドを具えたフィン指示図である。
【図２】公知の留めバンドの実施例図である。
【図３】本考案の留めバンドを具えたフィン指示図である。
【図４】本考案の留めバンドを具えたフィン立体図例である。
【図５】本考案の留めバンドと追加留め具の実施例立体図である。
【図６】本考案の留めバンドと二個の追加留め具の実施例図である。
【図７】本考案のバンド体と差込留め具の上面図である。
【図８】図７のＡ−Ａ断面図である。
【図９】本考案の別の実施例１である。
【図１０】本考案の別の実施例２である。
【図１１】本考案のバンド体と差込留め具の実施例図である。
【図１２】本考案のバンド体、差込留め具と追加留め具の実施例図である。
【図１３】図１１が示すバンド体と差込留め具の図例である。
【図１４】図１２のバンド体、差込留め具と追加留め具の図例である。
【符号の説明】
【００３２】
Ａ        留めバンド
Ｂ        凸歯
１０        バンド体
２０        差込留め具
２１        掛合板
３０        フィン
３１        結合留め具
３２        掛合孔
４０        追加留め具
４１        掛合体
４２        掛合板
４３        掛合孔
５０        バンド体
６０        差込留め具
６１        掛合孔
７０        用具
８０        結合留め具
８１        差込板
９０        追加留め具
１０１        差込留め具
１０２        バンド体
１０３        掛合体
１０４        用具
１１０        追加留め具
【図１】
0003134742.tif 000003
【図２】
0003134742.tif 000004
【図３】
0003134742.tif 000005
【図４】
0003134742.tif 000006
【図５】
0003134742.tif 000007
【図６】
0003134742.tif 000008
【図７】
0003134742.tif 000009
【図８】
0003134742.tif 000010
【図９】
0003134742.tif 000011
【図１０】
0003134742.tif 000012
【図１１】
0003134742.tif 000013
【図１２】
0003134742.tif 000014
【図１３】
0003134742.tif 000015
【図１４】
0003134742.tif 000016